(57)【要約】【課題】極めて簡素な構造で天井付近にて換気することができハウス内の高温化を未然に防止できると共に、有害動物や害虫が侵入することもなく、さらに降雨に対する注意および降雨時の作業も不要な農業用ハウスを提供する。【解決手段】本発明の農業用テント１は、一側面側Ａを構成する骨組み材に設けられ棟方向に延在した第１棟構成部２ａを備えた第１の棟構成材２と、他側面側Ｂを構成する骨組み材に設けられ棟方向に延在した第２棟構成部３ａを備えた第２の棟構成材３とを有し、第２棟構成部３ａは、第１棟構成部２ａの真下、或いは第１棟構成部２ａの下方で、かつ一側面側Ａに侵入するように配されており、第１棟構成材２ａと第２棟構成材３ａとの間隙には網目シート４が張設されている。【選択図】図２
2005065592.tif 000002
【特許請求の範囲】
【請求項１】
一側面側を構成する骨組み材に設けられ棟方向に延在した第１棟構成部を備えた第１の棟構成材と、
他側面側を構成する骨組み材に設けられ棟方向に延在した第２棟構成部を備えた第２の棟構成材とを有し、
該第２の棟構成材の第２棟構成部は、前記第１の棟構成材の第１棟構成部の真下、或いは前記第１棟構成部の下方で、かつ前記一側面側に侵入するように配されており、前記第１棟構成部と前記第２棟構成部との間隙には網目シートが張設されていることを特徴とする農業用ハウス。
【請求項２】
前記第１棟構成部と前記第２棟構成部との間隙は、複数の天井部構成材が棟方向に並設され、該天井部構成材が前記第１の棟構成材と前記第２の棟構成材とにそれぞれ接続されることにより形成されており、
該天井部構成材は、一側面側から他側面側に向かって延在配置されると共に前記第１の棟構成材に連結される第１構成部と、
他側面側から一側面側に向かって延在配置されると共に前記第２の棟構成材に連結される第２構成部と、
前記第２棟構成部が前記第１棟構成部の真下、或いは前記第１棟構成部の下方で、かつ前記一側面側に侵入することとなるように、前記第１構成部と前記第２構成部とを連結した連結部とを有している請求項１に記載の農業用ハウス。
【発明の詳細な説明】
【技術分野】
【０００１】
本発明は、植物を栽培しまたは動物を飼育する際に使用して好適な農業用ハウスに関する。
【背景技術】
【０００２】
農業用ハウスは、動植物にとってより成育し易い環境を内部に作り出すためのものであり、雨露、有害動物または害虫から動植物を守ることに加え、成育に必要な温度環境、湿度環境または通気性を良好に保持できることが求められる。
【０００３】
ところで、農業用ハウスを構成する壁材としては、一般に、樹脂シート、ガラス板、或いは樹脂板などが使用されるため、特に夏期などには内部が異常に高温化して動植物の成育を阻害することがある。このような高温化は天井付近で最も顕著であるため、天井付近で換気が行える構造が望ましい。また、天井付近で換気を行えるものであっても、開口部が形成されてしまうものは、その開口部から有害動物、有害虫または雨などが侵入することがあり好ましくない。
【０００４】
そして、これらの点を考慮した農業用ハウスとして、図７に示すように、ハウスの天井部５１を網目５２にて形成したもの（実公平５−３００７号公報）が提案されている。この農業用ハウス５０は天井部５１に網目５２を配したので天井部５１にて換気が行えると共に、開口部は形成されないため、有害動物や害虫の侵入が防止できる。
【０００５】
しかし、この農業用テント５０は、換気時（天井部に滞留した熱気の排出時）に、突然、降雨に晒された場合、速やかに巻取用ローラ５３によって網目５２を被覆用フィルム５４にて被覆しなければならず、降雨に対する注意と迅速な対応が必要となる上、巻取用ローラ５３による巻回作業も煩雑である。
【特許文献１】実公平５−３００７号公報
【発明の開示】
【発明が解決しようとする課題】
【０００６】
そこで、本発明の課題は、極めて簡素な構造で天井付近にて換気することができハウス内の高温化を未然に防止できると共に、有害動物や害虫が侵入することもなく、さらに降雨に対する注意および降雨時の作業も不要な農業用ハウスを提案することにある。
【課題を解決するための手段】
【０００７】
本発明は、一側面側を構成する骨組み材に設けられ棟方向に延在した第１棟構成部を備えた第１の棟構成材と、他側面側を構成する骨組み材に設けられ棟方向に延在した第２棟構成部を備えた第２の棟構成材とを有し、該第２の棟構成材の第２棟構成部は、前記第１の棟構成材の第１棟構成部の真下、或いは前記第１棟構成部の下方で、かつ前記一側面側に侵入するように配されており、前記第１棟構成部と前記第２棟構成部との間隙には網目シートが張設されていることを特徴とする農業用ハウスである。
【発明の効果】
【０００８】
本発明の農業ハウスによれば、極めて簡素な構造で天井付近にて換気することができハウス内の高温化を未然に防止できると共に、有害動物や害虫が侵入することもなく、さらに降雨に対する注意および降雨時の作業も不要になる利点がある。
【発明を実施するための最良の形態】
【０００９】
本発明の農業用ハウス１は、一側面側Ａを構成する骨組み材に設けられ棟方向に延在した第１棟構成部２ａを備えた第１の棟構成材２と、他側面側Ｂを構成する骨組み材に設けられ棟方向に延在した第２棟構成部３ａを備えた第２の棟構成材３とを有し、第２棟構成部３ａは、第１棟構成部２ａの真下、或いは第１棟構成部２ａの下方で、かつ一側面側Ａに侵入するように配されており、第１棟構成材２ａと第２棟構成材３ａとの間隙には網目シート４が張設されている。以下、図１ないし図６に示した本発明の一実施例の農業用ハウス１の各構成を順次詳述する。
【実施例１】
【００１０】
図１は本発明の本発明の農業用シートの一実施例の縦断面図であり、図２は図１の天井部付近の拡大図であり、図３は図１に示した農業用シートの作用を説明するための縦断面図であり、図４は図１に示した農業用シートにおける第１の棟構成材の斜視図であり、  図５は図１に示した農業用シートにおける天井部構成材の斜視図であり、図６は図１に示した農業用シートにおける骨組み材の連結状態を説明するための斜視図である。
【００１１】
第１の棟構成材２は、図１に示すように、一側面側Ａを構成する骨組み材の頂部に設けられ棟方向に延在している。この第１の棟構成材２は、図４に示すように、長尺状の第１棟構成部２ａと、第１棟構成部２ａから枝分かれし後述する天井部構成材５と連結するための第１接続部２ｂとを有している。
【００１２】
他方、第２の棟構成材３は、図１に示すように、一側面側Ｂを構成する骨組み材の頂部に設けられ棟方向に延在している。この第２の棟構成材３もまた、図４に示した第１の棟構成材２と同様の形態を有しており、図６に示すように、長尺状の第２棟構成部３ａと、第２棟構成部３ａから枝分かれし後述する天井部構成材５と連結するための第２接続部３ｂとを有している。
【００１３】
そして、第２の棟構成材３における第２棟構成部３ａは、図２に示すように、第１の棟構成材２における第２棟構成部２ａの下方で、かつ一側面側Ａに侵入するように配されている。
【００１４】
なお、この実施例の農業用ハウス１を構成する骨組み材は、図６に示すように、第１の棟構成材２および第２の棟構成材３の他に、天井部構成材５、一側面側骨組み材６および他側面側骨組み材７とからなっている。
【００１５】
天井部構成材５は、第１棟構成材２ａと第２棟構成材３ａとの間隙を天井部に形成するための骨組み材であり、この天井部構成材５が、図６に示すように、棟方向に複数並設されることにより農業用ハウス１の天井部付近の骨組みが形成される。
【００１６】
天井部構成材５は、図５に示すように、一側面側から他側面側に向かって延在配置されると共に第１の棟構成材２に接続される第１構成部５ａと、他側面側から一側面側に向かって延在配置されると共に第２の棟構成材３に接続される第２構成部５ｂと、第２棟構成部材３ａが第１棟構成材２ａの下方で、かつ一側面側に侵入することとなるように、第１構成部５ａと第２構成部５ｂとを連結した連結部５ｃと、後述する密閉部８の下端バー８ａを係止するために連結部５ｃに設けられた係止部５ｄとを有している。
【００１７】
なお、天井部構成材５を構成する上記第１構成部５ａ、第２構成部５ｂ、連結部５ｃおよび係止部５ｄは、略同一平面状にてそれぞれ延在するように構成されているが、各部の機能を奏する構造であれば、略同一平面状にてそれぞれ延在するものでなくてもよい。
【００１８】
一側面側骨組み材６および他側面側骨組み材７は、それぞれ一側面側Ａおよび他側面側Ｂの両側面をそれぞれ構成するための骨組み材である。
【００１９】
本発明の農業用ハウス１は、これら第１の棟構成材２、第２の棟構成材３、天井部構成材５、一側面側骨組み材６および他側面側骨組み材７が接続されて骨組みが構成されている。すなわち、図６に示すように、第１の棟構成材２の第１接続部２ｂと天井部構成材５の第１構成部５ａの上部が接続されて第１の棟構成材２と天井部構成材５が連結されている。また、第２の棟構成材３の第２接続部３ｂと天井部構成材５の第２構成部５ｂの上部が接続されて第２の棟構成材３と天井部構成材５が連結されている。さらに、天井部構成材５の第１構成部５ａの下部と一側面側骨組み材６の上部が接続されて、天井部構成材５と一側面側骨組み材６が連結されている。さらに、天井部構成材５の第２構成部５ｂの下部と他側面側骨組み材７の上部が接続されて、天井部構成材５と他側面側骨組み材７が連結されている。
【００２０】
そして、本発明の農業用ハウス１は、このような各骨組み材の連結材としての機能を果たす天井部構成材５により、安定した骨組みが構成できると共に、第２棟構成部３ａが第１棟構成部２ａの真下、或いは第１棟構成部２ａの下方で、かつ一側面側Ａに侵入することとなる位置に、第１の棟構成材２と第２の棟構成材３とを配置することができる。
【００２１】
なお、上述した骨組み材の形成材料としては、例えばステンレスパイプやアルミニウムパイプなどの金属製材料、樹脂製管、或いは樹脂製棒状体などが好適に使用できるが、農業用ハウスとしての外形を保持できる程度の強度および強靭性を有するものであればどのようなものでもよい。
【００２２】
農業用ハウス１を構成する骨組みの外面側には、図１に示すように、樹脂製シート９が張設されて、一側面側Ａおよび他側面側Ｂを構成している。また、図示しないが、正面側（図１における手前側の面）および背面側（図１における奥側の面）にも樹脂製シートが張設されている。なお、この実施例の外側面形成材は樹脂製シートであるが、これに限定されるものではなく、外側面を形成できるものであればどのようなものでもよく、例えばガラス板、樹脂製板などでもよい。
【００２３】
骨組み材への樹脂製シート９の張設は、図２に示すように、第１棟構成部２ａと第２棟構成部３ａに、それぞれ一側面側Ａと他側面側Ｂの外面に渡って張った樹脂製シート９の端部を巻回して、第１棟構成部２ａや第２棟構成部３ａに係合させる固定用具、または樹脂製シート９の端部を把持した上で下方に向かって引張する、ゴム製等の固定用引張具（図示しない）により行われている。
【００２４】
そして、第１の棟構成材２の第１棟構成部２ａと第２の棟構成材３の第２棟構成部３ａとの間隙には網目シート４が張設されている。すなわち、本発明の農業用ハウス１は、２つの棟を有しており、下方の棟（第２棟構成部３ａ）が、上方の棟（第１棟構成部２ａ）の真下、或いは頂部に上方の棟（第１棟構成部２ａ）を構成する一側面側Ａに侵入する位置に設けられ、それらの間隙に網目シート４が張設されているため、極めて簡素な構造で天井付近にて換気することができハウス内の高温化を未然に防止できると共に、有害動物や害虫が侵入することもない。
【００２５】
さらに、網目シート４は、垂直方向か、或いはこの実施例のように、一側面側Ａの内部に侵入する斜め下方向に向かって張設されているため、雨が降っても雨水がハウス内に降り注ぐことがなく、降雨に対する注意および降雨時の作業も不要となる。なお、網目シート４の張設は、より雨水がハウス内に降り注ぐことがない、一側面側Ａの内部に侵入する斜め下方向に向かう張設がより好ましい。また、網目シート４の張設方法としては、前述した樹脂製シート９の張設と同様で、樹脂製シート９の外面側に網目シート４を配した上で、第１棟構成部２ａや第２棟構成部３ａに係合させる固定用具により行われている。
【００２６】
なお、この実施例１では、第２の棟構成材３における第２の棟構成部３ａは、図２に示すように、第１の棟構成材２における第２の棟構成部２ａの下方で、かつ一側面側Ａに侵入するように配されているが、本発明はこれに限定されるものではなく、第２の棟構成材３における第２の棟構成部３ａが、第１の棟構成材２における第２の棟構成部２ａの真下に延在するものも包含される。
【００２７】
また、この実施例の農業用ハウス１は、天井部における網目シート４による通気を不能とする密閉部８を有している。具体的には、図２に示すように、一側面側Ａに張設された樹脂製シート９は、第１棟構成部２ａを巻回した後、折り返されて第１の棟構成材２の下面側に係止されている。この実施例の密閉部８は、この折り返された部分の樹脂製シート９と、その下端辺を巻回して係止すると共に棟方向に延在するように配された下端バー（長尺状管状体）８ａとから構成されている。
【００２８】
そして、網目シート４にて換気を行う場合は、図２のように、密閉部８は、下端バー８ａが天井部構成材５の係止部５ｄに係止されているため、樹脂製シート９が網目シート４を被覆しておらず、通気可能な状態となっている。他方、通気性を遮断する場合は、図３に示すように、下端バー８ａを天井部構成材５の係止部５ｄより外して、網目シート４の上面に樹脂製シート９を載置して網目シート４を被覆する。これにより、冬場や早朝などハウス内の温度を上げたい場合には天井部における通気を遮断することも可能となっている。
【図面の簡単な説明】
【００２９】
【図１】本発明の農業用シートの一実施例の縦断面図である。
【図２】図１の天井部付近の拡大図である。
【図３】図１に示した農業用シートの作用を説明するための縦断面図である。
【図４】図１に示した農業用シートにおける第１の棟構成材の斜視図である。
【図５】図１に示した農業用シートにおける天井部構成材の斜視図である。
【図６】図１に示した農業用シートにおける骨組み材の連結状態を説明するための斜視図である。
【図７】従来の農業用シートの斜視図である。
【符号の説明】
【００３０】
１  農業用ハウス
２  第１の棟構成材
２ａ  第１棟構成部
２ｂ  第１接続部
３  第２の棟構成材
３ａ  第２棟構成部
３ｂ  第２接続部
４  網目シート
５  天井部構成材
５ａ  第１構成部
５ｂ  第２構成部
５ｃ  連結部
５ｄ  係止部
６  一側面側骨組み材
７  他側面側骨組み材
８  密閉部
８ａ  下端バー
９  樹脂製シート
【図１】
2005065592.tif 000003
【図２】
2005065592.tif 000004
【図３】
2005065592.tif 000005
【図４】
2005065592.tif 000006
【図５】
2005065592.tif 000007
【図６】
2005065592.tif 000008
【図７】
2005065592.tif 000009